(57)【要約】【課題】電源容量や外形等が小さく、ストロボ撮影してもそれと認識させないようにできるダミー発光機能を有する監視カメラシステムを提供する。【解決手段】撮影時にストロボ（閃光発生体）２０の発光タイミングに加えて、この発光タイミングとは異なるタイミングのダミー発光パターンでストロボ２０をダミー発光するので、侵入者に一連のダミー発光を単に威嚇のためのストロボ発光と誤認させて、ダミー発光の中のストロボ撮影に気付かせず、侵入者に対して監視カメラ１０で撮影されたと認識させないようにできる。【選択図】        図１
2004240799.tif 000002
【特許請求の範囲】
【請求項１】
検知エリア内に侵入した人体を検知する人体検知器と、人体が検知されたとき検知エリアを撮影する監視カメラと、検知エリアへ向けて閃光を発する閃光発生体と、監視カメラにより撮影された静止画像を記録する記録部とを備えた監視カメラシステムであって、
撮影時の閃光発生体の発光タイミングに加えて、この発光タイミングとは異なるタイミングのダミー発光パターンで閃光発生体をダミー発光させるように制御する発光制御部を備えたダミー発光機能を有する監視カメラシステム。
【請求項２】
請求項１において、
前記発光制御部は、一定の発光間隔で撮影時の発光強度と同じ発光強度のダミー発光パターンで、閃光発生体をダミー発光させるものであるダミー発光機能を有する監視カメラシステム。
【請求項３】
請求項１において、
前記発光制御部は、一定の発光間隔で発光強度を変化させ、発光開始から徐々に発光強度を上げ、撮影時の発光強度をピークとして、徐々に発光強度を下げるダミー発光パターンで、閃光発生体をダミー発光させるものであるダミー発光機能を有する監視カメラシステム。
【請求項４】
請求項１において、
前記発光制御部は、発光間隔および発光強度を変化させ、発光開始から徐々に、短周期から長周期へ変化させるとともに発光強度を上げ、撮影時における発光が周期が最も長くかつ発光強度がピークとなるようにして、徐々に長周期から短周期へ変化させるとともに発光強度を下げるダミー発光パターンで、閃光発生体をダミー発光させるものであるダミー発光機能を有する監視カメラシステム。
【請求項５】
請求項１において、
前記発光制御部は、発光間隔および発光強度をランダムに変化させるダミー発光パターンで、閃光発生体をダミー発光させるものであるダミー発光機能を有する監視カメラシステム。
【請求項６】
検知エリア内に侵入した人体を検知する人体検知器と、人体が検知されたとき検知エリアを撮影する監視カメラと、検知エリアへ向けて閃光を発する閃光発生体と、監視カメラにより撮影された静止画像を記録する記録部とを備えた監視カメラシステムであって、
検知エリアへ向けてダミー発光する発光ダイオードと、
撮影時に閃光発生体の発光タイミングに加えて、この発光タイミングとは異なるタイミングのダミー発光パターンで前記発光ダイオードをダミー発光させるように制御する発光制御部とを備えたダミー発光機能を有する監視カメラシステム。
【発明の詳細な説明】
【０００１】
【発明の属する技術分野】
本発明は、一般住宅や工場などの建物の屋外における検知エリア内を監視カメラで監視するシステムに関し、特に、ストロボ（閃光発生体）撮影しても、侵入者にストロボ撮影を認識させない監視カメラシステムに関する。
【０００２】
【従来の技術】
従来の監視カメラシステムでは、主として夜間時に低照度となることから検知エリア内に侵入した侵入者の画像を確実にとらえるために、撮影時にハロゲンライト等を補助照明として使用する場合が多い。このハロゲンライト等の照明は威嚇用途としても用いられる。また、外部から電力供給ができない環境では、システム機器内部に電源を搭載し、それから電力を供給する必要が生じるが、内蔵電源ではハロゲンライト等の照明を点灯させるには、電源容量や外形等が非常に大きなものとなり、現実的な商品性を有しないという問題があった。
【０００３】
その一方、監視カメラシステムにおいて、撮影時に検知エリアを補助照明するために、ストロボを利用することも知られている（例えば、特許文献１）。
【０００４】
【特許文献１】
特開平９−１５９５３５号公報
【０００５】
【発明が解決しようとする課題】
前記した撮影時におけるハロゲンライト等の照明では電源容量や外形等が大きくなる問題に対しては、電源容量や外形等の小さい銀塩カメラやディジタルカメラ等に組み込まれているストロボ（閃光発生体）を利用することが考えられる。
しかし、ハロゲンライト等の照明が侵入者に対する威嚇のための照明と認識されるのと異なり、ストロボによる照明では、その閃光により侵入者はストロボ撮影されたと認識するため、監視カメラの存在に気付き、監視カメラの持ち去り、破壊などの問題が生じることとなる。
【０００６】
本発明は、前記の問題点を解決して、電源容量や外形等が小さく、ストロボ撮影してもそれと認識させないようにできるダミー発光機能を有する監視カメラシステムを提供することを目的としている。
【０００７】
【課題を解決するための手段】
前記目的を達成するために、本発明にかかるダミー発光機能を有する監視カメラシステムは、検知エリア内に侵入した人体を検知する人体検知器と、人体が検知されたとき検知エリアを撮影する監視カメラと、検知エリアへ向けて閃光を発する閃光発生体と、監視カメラにより撮影された静止画像を記録する記録部とを備えたものであって、撮影時の閃光発生体の発光タイミングに加えて、この発光タイミングとは異なるタイミングのダミー発光パターンで閃光発生体をダミー発光させるように制御する発光制御部を備えている。
【０００８】
この構成によれば、撮影時に閃光発生体（ストロボ）の発光タイミングに加えて、この発光タイミングとは異なるタイミングのダミー発光パターンでストロボをダミー発光するので、侵入者に一連のダミー発光を単に威嚇のためのストロボ発光と誤認させて、ダミー発光の中のストロボ撮影に気付かせず、侵入者に対して監視カメラで撮影されたと認識させないようにできる。
【０００９】
好ましくは、前記発光制御部は、閃光発生体（ストロボ）を、以下の（１）〜（４）に例示するダミー発光パターンでダミー発光させる。すなわち、（１）一定の発光間隔で撮影時の発光強度と同じ発光強度のダミー発光パターン、（２）一定の発光間隔で発光強度を変化させ、発光開始から徐々に発光強度を上げ、撮影時の発光強度をピークとして、徐々に発光強度を下げるダミー発光パターン、（３）発光間隔および発光強度を変化させ、発光開始から徐々に、短周期から長周期へ変化させるとともに発光強度を上げ、撮影時における発光が周期が最も長くかつ発光強度がピークとなるようにして、徐々に長周期から短周期へ変化させるとともに発光強度を下げるダミー発光パターン、（４）発光間隔および発光強度をランダムに変化させるダミー発光パターンである。したがって、（１）〜（４）のダミー発光パターンにより、侵入者はダミー発光の中のストロボ撮影に気付かないから、侵入者に対して監視カメラによる撮影の認識を困難にすることができる。
【００１０】
【発明の実施の形態】
以下、本発明の実施形態を図面にしたがって説明する。
図１は、本発明の第１実施形態に係るダミー発光機能を有する監視カメラシステムの設置状態の光学的構成を模式的に示す側面図、図２は、本システムの電気回路を示すブロック図である。図１に示すように、本システムは、例えば、一般住宅や工場のような建物の外壁面Ｗに取り付けられて、建物の屋外における検知エリアＡに不法に入る侵入者を監視カメラで監視する。本システムは、この検知エリアＡ内に侵入した人体Ｈを検知する人体検知器１と、人体Ｈが検知されたとき検知エリアＡを撮影する監視カメラ１０と、検知エリアＡへ向けて閃光を発するストロボ（閃光発生体）２０とを備えており、主として夜間において、人体Ｈを検知すると、これをトリガとして監視カメラ１０が検知エリアＡをストロボ撮影する。
【００１１】
図２に示すように、前記監視カメラ１０で撮影された画像信号は画像処理回路１２で処理され、静止画像が得られる。この静止画像は記録部（フレームメモリ）３４に記録される。本システムは、例えば直流電源３２を有する電源部３３により各部が駆動され、ＣＰＵのような制御部３０がシステム全体を制御して、前記監視カメラ１０の作動、およびストロボ２０を発光させるストロボ発光回路２１などを制御する。
【００１２】
図１の人体検知器１は、例えば受動型赤外線（ＰＩＲ）方式であり、ケース４１の中に焦電素子からなる赤外線検出素子２を収納している。検出素子２は、その前方に位置してケース４１に取り付けられたフレネルレンズやミラーのような光学系５１により、検知エリアＡを設定している。各検知エリアＡにおいて人体Ｈなどから放射される赤外線エネルギは、光学系５１により集光されて対応する検出素子２に入射され、この検出信号を処理する図２の人体検知回路５により人体Ｈが検知される。なお、ここでの人体Ｈは検知エリアＡ内への侵入者である。
【００１３】
図３は、前記制御部３０により制御されて、ストロボ放電管のようなストロボ２０を発光させるストロボ発光回路２１の構成を示す。このストロボ発光回路２１は、前記電源部３３内の直流電源３２の電圧を昇圧させる昇圧回路２３と、ストロボ２０を所定の発光強度に発光させる可変のコンデンサ容量Ｃをもち、前記昇圧回路２３により昇圧された電圧を充電する可変容量形のコンデンサＶＣ、コンデンサＶＣをストロボ２０を通して放電させるトリガ回路２４、ストロボ２０の発光全体を制御する発光制御部２５を備えている。発光制御部２５はダミー発光制御部２６を有しており、監視カメラ１０の撮影時におけるストロボ２０の発光タイミングに加えて、ダミー発光制御部２６がこの発光タイミングとは異なるタイミングのダミー発光パターンでストロボ２０をダミー発光させるように制御する。
【００１４】
前記コンデンサＶＣは、例えば軸を回転して極板の対向面積や距離を加減してコンデンサ容量Ｃを変化させるものであり、このコンデンサＶＣおよび昇圧回路２３へダミー発光制御部２６からの制御信号を出力して、ストロボ２０の発光強度をパターン通りに変化させる。
なお、後述するダミー発光パターンの第１例のように、一定の発光間隔で撮影時の発光強度と同じ発光強度の場合には、コンデンサ容量Ｃが一定の固定容量形のコンデンサを用いてもよい。
【００１５】
ストロボ２０は、例えば銀塩カメラやディジタルカメラ等に組み込まれているものを利用したものであり、検知エリアＡの大きさに応じて単数または複数個使用される。これにより、従来とハロゲンライト等と比べて電源容量や外形等を小さくできる。また、市販品であるので、監視カメラシステムを低コストにできる。なお、この例では同一のストロボで撮影時の発光およびダミー発光を行っているが、撮影用とダミー発光用にそれぞれ別個のストロボで行うようにしてもよい。
【００１６】
以下、本システムにおけるダミー発光動作について説明する。
まず、人体検知器１により、人体Ｈを検知すると、これをトリガとして監視カメラ１０が検知エリアＡをストロボ２０によりストロボ撮影する。この撮影時におけるストロボ２０の発光タイミングの前後に、ダミー発光制御部２６は、例えば、一定の発光間隔で撮影時の発光強度と同じ発光強度のダミー発光パターンで、ストロボ２０をダミー発光させる。図４にこのダミー発光パターンの第１例を示す。
【００１７】
すなわち、ストロボ発光回路２１では、予め、電源部３３によってコンデンサＶＣが一定電圧に充電されており、ダミー発光制御部２６から前記ダミー発光パターンにしたがって制御信号が出力されて、当該発光間隔にしたがってトリガ回路２４によりトリガ電圧が与えられると、一定の電圧に充電されたコンデンサＶＣがストロボ２０を通して放電し、これによりストロボ２０がストロボ光を放出する。コンデンサＶＣは放電後、前記と同様に充電されてその後放電され、以後この動作を繰り返す。このダミー発光パターンは、撮影時のストロボ２０の発光と同期して、その前後にストロボ２０が発光するように行われる。
【００１８】
こうして、撮影時にストロボ２０の発光タイミングに加えて、この発光タイミングとは異なるタイミングのダミー発光パターンでストロボ２０をダミー発光するので、侵入者に一連のダミー発光を単に威嚇のためのストロボ発光と誤認させて、ダミー発光の中のストロボ撮影に気付かせず、侵入者に対して監視カメラ１０で撮影されたと認識させないようにできる。これにより、監視カメラ１０の持ち去り、破壊などの問題が生じない。
【００１９】
以下、ダミー発光パターンの第２〜４例について説明する。
第２〜４例では、予めダミー発光パターンのプログラムが作製されて、ダミー発光制御部２６に格納されており、ダミー発光制御部２６は、各プログラムにしたがって、制御信号をトリガ回路２４、コンデンサＶＣおよび昇圧回路２３へ出力して、ストロボ２０をパターン通りに発光させる。
【００２０】
ダミー発光パターンの第２例
第２例は、図５（ａ）に示すように、一定の発光間隔で発光強度を変化させ、発光開始から徐々に発光強度を上げ、撮影時の発光強度をピークとして、徐々に発光強度を下げるダミー発光パターンである。
これにより、侵入者に一連のダミー発光を単に威嚇のためのストロボ発光と誤認させてストロボ撮影に気付かせなくできるとともに、直流電源３２が消耗するストロボ撮影時を最大強度として、その前後の発光強度を小さく抑えることにより、直流電源３２の消耗を少なくできる。
【００２１】
ダミー発光パターンの第３例
第３例は、図５（ｂ）に示すように、発光間隔および発光強度を変化させ、発光開始から徐々に、短周期から長周期へ変化させるとともに発光強度を上げ、撮影時における発光が周期が最も長くかつ発光強度がピークとなるようにして、徐々に長周期から短周期へ変化させるとともに発光強度を下げるダミー発光パターンである。
これにより、侵入者に一連のダミー発光を単に威嚇のためのストロボ発光と誤認させてストロボ撮影に気付かせなくできるとともに、撮影時における発光の周期が最も長いから、ストロボ撮影の最大強度直前のコンデンサ充電時間をかせぐことができる。
【００２２】
ダミー発光パターンの第４例
第４例は、図５（ｃ）に示すように、発光間隔および発光強度をランダムに変化させるダミー発光パターンである。このランダム変化は、例えば乱数を表すシフトレジスタと論理回路を通じて作ることができる。
これにより、侵入者に一連のダミー発光を単に威嚇のためのストロボ発光であり、作為的でないと誤認させるようなパターンの作製が可能であるので、ストロボ撮影により一層気付かせないようにできる。
【００２３】
なお、上記ダミー発光パターンの第１〜４例では、ダミー発光パターンのほぼ中間でストロボ撮影を行っているが、これらの例に限定されるものではなく、ダミー発光パターンの最初または最後などにストロボ撮影を行うようにしてもよい。
【００２４】
図６は、第２実施形態の第１例に係るダミー発光機能を有する監視カメラシステムの設置状態の光学的構成を模式的に示す側面図である。
この第２実施形態では、第１実施形態と異なって検知エリアＡ１、Ａ２を有しており、ダミー発光制御部２６が、遠い検知エリアＡ１では威嚇のみでストロボ撮影を行わず、ストロボ２０の発光強度を小さくし、近い検知エリアＡ２ではストロボ撮影を行って、ストロボ２０の発光強度を大きくする制御を行う。
【００２５】
前記人体検知器１は、図１と同様に受動型赤外線（ＰＩＲ）方式であるが、ケース４１の中に焦電素子からなる一対の赤外線検出素子２、３を収納している。各検出素子２、３は、その前方に位置してケース４１に取り付けられたフレネルレンズやミラーのような光学系５１、５２により、検知エリアＡ１、Ａ２を設定している。各検知エリアＡ１、Ａ２において人体Ｈなどから放射される赤外線エネルギは、光学系５１、５２により集光されて対応する検出素子２、３に入射され、人体Ｈが検知される。その他の構成は、ダミー発光制御部２６が上記のストロボ制御を行うこと以外、第１実施形態と同様である。
【００２６】
これにより、侵入者に一連のダミー発光を単に威嚇のためのストロボ発光と誤認させてストロボ撮影に気付かせなくできるとともに、一定以上に近付く侵入者のみを監視カメラ１０でストロボ撮影できる。
なお、検知エリアをＡ１、Ａ２の２つのエリアでなく、３つ以上のエリアにしてもよい。
【００２７】
また、第２実施形態の第２例では、第１例と異なり、ダミー発光制御部２６が、遠い検知エリアＡ１ではストロボ２０の発光強度を大きくしてストロボ撮影し、近い検知エリアＡ２では発光強度を小さくしてストロボ撮影する制御を行う。その他の構成は第１例と同様である。
これにより、侵入者に一連のダミー発光を単に威嚇のためのストロボ発光と誤認させてストロボ撮影に気付かせなくできるとともに、検知エリアＡ１、Ａ２で２回以上ストロボ撮影できるから、侵入者の画像をとらえる確率を高くできる。
なお、この第２例で、撮影距離に応じてストロボ２０の発光強度を調節するカメラの調光機能を利用してもよい。
【００２８】
つぎに、第３実施形態について説明する。
この第３実施形態では、第１実施形態と異なり、ストロボ２０の他に、検知エリアＡへ向けてダミー発光する白色の発光ダイオード（ＬＥＤ）と、撮影時のストロボ２０の発光タイミングに加えて、この発光タイミングとは異なるタイミングのダミー発光パターンで前記発光ダイオードをダミー発光させるように制御する発光制御部とを備えている。すなわち、撮影をストロボ２０で、ダミー発光を発光ダイオード（ＬＥＤ）で行う。その他の構成は第１実施形態と同様である。
これにより、侵入者に一連のダミー発光を単に威嚇のためのストロボ発光と誤認させてストロボ撮影に気付かせなくできるとともに、ストロボ２０の負担を小さくできる。
【００２９】
なお、前記各実施形態では、人体検知器１を受動型赤外線（ＰＩＲ）方式としたが、検知波として近赤外線を投光し、物体から反射した近赤外線を受光して物体を検出するＡＩＲ方式でもよい。また、超音波または電波を検知波として送受信する送信素子と受信素子を備えた超音波式または電波式の能動型センサを用いることもでき、さらに、電磁波の撹乱を検知することにより、また領域の内外を分ける物理遮蔽手段の開閉に連動したスイッチなどにより、人体を検知するようにしてもよい。
【００３０】
【発明の効果】
以上のように、本発明によれば、撮影時にストロボ（閃光発生体）の発光タイミングに加えて、この発光タイミングとは異なるタイミングのダミー発光パターンでストロボをダミー発光するので、侵入者に一連のダミー発光を単に威嚇のためのストロボ発光と誤認させて、ダミー発光の中のストロボ撮影に気付かせず、侵入者に対して監視カメラで撮影されたと認識させないようにできる。
【図面の簡単な説明】
【図１】本発明の第１実施形態に係る監視カメラシステムの設置状態の光学的構成を模式的に示す側面図である。
【図２】同実施形態の監視カメラシステムの電気回路を示すブロック図である。
【図３】同実施形態のストロボ発光回路を示すブロック図である。
【図４】ダミー発光パターンの第１例を示す図である。
【図５】（ａ）〜（ｃ）はダミー発光パターンの第２〜４例を示す図である。
【図６】第２実施形態に係る監視カメラシステムの設置状態の光学的構成を模式的に示す側面図である。
【符号の説明】
１…人体検知器、１０…監視カメラ、２０…ストロボ（閃光発生体）、２１…ストロボ発光回路、２５…発光制御部、２６…ダミー発光制御部、３４…記録部、Ａ、Ａ１、Ａ２…検知エリア。
【図１】
2004240799.tif 000003
【図２】
2004240799.tif 000004
【図３】
2004240799.tif 000005
【図４】
2004240799.tif 000006
【図５】
2004240799.tif 000007
【図６】
2004240799.tif 000008